(57)【要約】【課題】緑化基盤の重心を低くして折板屋根等にかかる力を低減するとともに、緑化面積を大きく確保することができる、屋根緑化構造を提供する。【解決手段】折板屋根の山部に所定の間隔で取り付ける複数の固定金具と、前記折板屋根の流れ方向に垂直な方向に並列して前記固定金具に取り付ける複数のレール材と、前記レール材間に配置する矩形状の緑化基盤と、により構成し、前記固定金具は、前記折板屋根に取り付ける取付部と、前記取付部の上面に突設するボルト部と、からなり、前記レール材は、頂部と、前記頂部の両端に垂直に設ける段差部と、前記段差部の下端に水平に設ける鍔部と、からなる断面略ハット状の部材であり、前記レール材の頂部に設けたボルト挿通孔に前記固定金具の前記ボルト部を挿通して、前記段差部間に前記固定金具の前記取付部を内包し、前記緑化基盤の両端を並列する前記レール材の前記鍔部に載置する、屋根緑化構造。【選択図】図１
2015209679.tif 000002
【特許請求の範囲】
【請求項１】
折板屋根の山部に所定の間隔で取り付ける複数の固定金具と、
前記折板屋根の流れ方向に垂直な方向に並列して前記固定金具に取り付ける複数のレール材と、
前記レール材間に配置する矩形状の緑化基盤と、により構成し、
前記固定金具は、前記折板屋根に取り付ける取付部と、前記取付部の上面に突設するボルト部と、からなり、
前記レール材は、頂部と、前記頂部の両端に垂直に設ける段差部と、前記段差部の下端に水平に設ける鍔部と、からなる断面略ハット状の部材であり、
前記レール材の頂部に設けたボルト挿通孔に前記固定金具の前記ボルト部を挿通して、前記段差部間に前記固定金具の前記取付部を内包し、
前記緑化基盤の両端を並列する前記レール材の前記鍔部に載置する、
屋根緑化構造。
【請求項２】
請求項１に記載の屋根緑化構造において、
前記レール材の頂部の上面に敷設する保水シートを有し、
前記緑化基盤の上面と前記保水シートの上面の高さが略同一であることを特徴とする、
屋根緑化構造。
【発明の詳細な説明】
【技術分野】
【０００１】
本発明は折板屋根の上面を緑化する、屋根緑化構造に関するものである。
【背景技術】
【０００２】
近年、ヒートアイランド現象に対する対策やＣＯ２削減を目的として、ビル等の建築物の屋上の緑化が推進されている。
工場等の屋根に用いられる折板屋根の緑化としては、特許文献１のように、屋根の流れ方向に沿って下地材を配置し、その上面に緑化基盤材を配置するものが一般的である。
【先行技術文献】
【特許文献】
【０００３】
【特許文献１】特開２００７−１２９９５８
【発明の概要】
【発明が解決しようとする課題】
【０００４】
前記したような従来の折板屋根の緑化構造は、下地材の上面に重量物である緑化基盤材を配置するものである。
このため、緑化基盤材の重心位置が高くなり、地震や強風時に水平方向の力が作用した際、下地材や折板屋根にかかる力が大きくなってしまう。
【０００５】
本発明は、この問題点を解決するためになされたものであり、緑化基盤の重心を低くして折板屋根等にかかる力を低減するとともに、緑化面積を大きく確保することができる、屋根緑化構造を提供することを目的とする。
【課題を解決するための手段】
【０００６】
上記のような課題を解決する本願の第１発明は、折板屋根の山部に所定の間隔で取り付ける複数の固定金具と、前記折板屋根の流れ方向に垂直な方向に並列して前記固定金具に取り付ける複数のレール材と、前記レール材間に配置する矩形状の緑化基盤と、により構成し、前記固定金具は前記折板屋根に取り付ける取付部と、前記取付部の上面に突設するボルト部と、からなり、前記レール材は、頂部と、前記頂部の両端に垂直に設ける段差部と、前記段差部の下端に水平に設ける鍔部と、からなる断面略ハット状の部材であり、前記レール材の頂部に設けたボルト挿通孔に前記固定金具の前記ボルト部を挿通して、前記段差部間に前記固定金具の前記取付部を内包し、前記緑化基盤の両端を並列する前記レール材の前記鍔部に載置する、屋根緑化構造を提供する。
本願の第２発明は、第１発明の屋根緑化構造において、前記レール材の頂部の上面に敷設する保水シートを有し、前記緑化基盤の上面と前記保水シートの上面の高さが略同一であることを特徴とする、屋根緑化構造を提供する。
【発明の効果】
【０００７】
本発明の屋根緑化構造は以上説明したようになるから、次のような効果を得ることができる。
（１）緑化基盤をレール材の鍔部に載置するため、緑化基盤の重心が下がり、地震や強風時に固定金具や折板屋根にかかる力を低減することができる。
（２）緑化基盤の高さとレール材の上面に敷設した保水シートの高さをほぼ同一とするため、緑化基盤の上部とレール材の上部の全面に植物を植生することができ、緑化面積を大きく確保することができる。
【図面の簡単な説明】
【０００８】
【図１】本発明の屋根緑化構造の斜視図
【図２】緑化構造の断面図（流れ方向に垂直）
【図３】固定金具の説明図
【図４】レール材の説明図
【図５】押さえ金具の説明図
【図６】その他実施例にかかる屋根緑化構造の断面図（１）
【図７】その他実施例にかかる屋根緑化構造の断面図（２）
【発明を実施するための形態】
【０００９】
以下図面を参照にしながら本発明の好適な実施の形態を詳細に説明する。
【実施例】
【００１０】
［１］屋根緑化構造
＜１＞基本的構成
本発明の屋根緑化構造は、凸部と凹部とが連続形成された折板屋根の上面を緑化するものである。
本発明の屋根緑化構造は、折板屋根５上に、固定金具１によって複数のレール材２を並列して固定し、レール材２間に緑化基盤３を載置して構成する（図１）。
緑化基盤３の上面には植物４を植生する。そして、固定金具１に取り付けた押さえ金具５によって、緑化基盤３をレール材２上に固定する（図２）。
本願の実施例においては、山部６１にハゼ部６２を有する折板屋根６の上面を緑化するが、折板屋根６の形状はこれに限定するものではない。
また、緑化基盤３の上面にさらに飛散防止ネット（図示しない）を敷設して押さえ金具５によって固定する場合もある。
【００１１】
＜２＞固定金具
固定金具１は、折板屋根６の山部６１に取り付ける部材であり、山部６１に取り付ける取付部１１と、取付部１１の上部に固定するボルト部１２と、からなる（図３）。
本願の実施例においては、固定金具１の取付部１１でハゼ部６２を狭持して、固定家具１を固定する。
固定金具１は、隣り合う山部６１にも設ける。また、固定金具１は折板屋根６の流れ方向に所定の間隔で並べて設ける。
【００１２】
＜３＞レール材
レール材２は、折板屋根６上部に並列する長尺状の部材である。
レール材２は、頂部２１と、頂部２１の両端に垂直に設ける段差部２２と、段差部２２の下端に水平に突設する鍔部２３と、により断面略ハット状に形成する（図４）。断面を略ハット状とすることにより、レール材２の強度が高くなる。
頂部２１にはボルト挿通孔２４を形成する。
【００１３】
＜３−１＞レール材の配置
レール材２は、折板屋根６の並列する山部６１上に渡設し、折板屋根６の流れ方向に垂直な方向に配列する（図１）。
レール材２は、頂部２１のボルト挿通孔２４に固定金具１のボルト部１２を挿通し、固定金具１によって支持する。このとき、固定金具１の取付部１１が、レール材２の頂部２１および両段差部２２によって規定される空間に内包される（図２）。
【００１４】
＜４＞緑化基盤
緑化基盤３は、配列した隣り合うレール材２間に並べて配設する。
緑化基盤３は、多孔質セラミックスからなる矩形の板体である。
多孔質セラミックスは保水性に優れており、表面に植物４を育成することができる。植物４は、芝やセダム、コケ類などが好適である。
多孔質セラミックスは軽量であるため、緑化基盤３は配設が容易である。
【００１５】
＜４−１＞緑化基盤の配設
緑化基盤３は、隣り合うレール材２間に並べて配設するが、緑化基盤３の側面がレール材２の段差部２２に対応し、緑化基盤３の両端部をレール材２の鍔部２３に載置する。
緑化基盤３の高さをレール材２の段差部２２の高さと略同一にすることで、レール材２の頂部２１と緑化基盤３の上面が略同一平面となる。
緑化基盤３をレール材２の鍔部２３に載置するため、緑化基盤３の重心が隣り合うレール材２間に位置するため、地震や強風時にレール材２や固定金具１および折板屋根にかかる力を低減することができる。
【００１６】
＜５＞押さえ金具
押さえ金具５は、正方形の平板状の部材である（図５）。
押さえ金具５は、中央にボルト孔５１を形成する。
押さえ金具５の一辺の長さはレール材２の頂部２１の幅よりも大きくする。
押さえ金具５の四隅は下方に折り返して、凸片５２を形成する。
【００１７】
＜５−１＞押さえ金具による固定
押さえ金具５は、緑化基盤３を配置した状態で、ボルト孔５１に固定金具１のボルト部１２を挿通し、押さえ金具５の上部からボルト部１２にナット１３を螺着して、ナット１３によって押さえ金具５およびその下に位置するレール材２および緑化基盤３を固定する。
また、ナット１３によって、押さえ金具５はレール材２や緑化基盤３に押しつけられるが、下方に折り返した凸片５２は緑化基盤３に貫入し、風による吹き上げを防止する。
【００１８】
［２］屋根緑化構造の構築方法
次に、折板屋根の緑化構造の構築方法について説明する。
【００１９】
＜１＞固定金具の配置
折板屋根６の山部６１に固定金具１を並べて取り付ける。同一の山部６１に取り付ける固定金具１の間隔は、緑化基盤３の幅と略同一（緑化基盤３の幅とレール材２の頂部２１の幅を足した長さと略同一）とする。
固定金具１は山部６１に沿って所定の間隔で位置決めできるため、緑化基盤３の幅に合わせた設置が可能であり、さまざまな幅の緑化基盤３を適用することができる。幅の大きい（流れ方向に長い）緑化基盤３を用いることで、レール材２の間隔が大きくなり、レール材２や固定金具１の数量を削減でき、施工期間も短縮できる。
【００２０】
＜２＞レール材の設置
次に、複数のレール材２を折板屋根６の並列する山部６１上に渡設し、流れ方向に垂直に配列する。
レール材２は、頂部２１のボルト挿通孔２４に固定金具１のボルト部１２を挿通し、固定金具１によって支持する。
固定金具１が緑化基盤３の幅と略同一の間隔で配置されているため、レール材２も緑化基盤３の幅と略同一の間隔となる。
レール材２は断面が略ハット状であるため強度が高くなり、レール材２を支持する固定金具１の数量を削減でき、施工期間も短縮できる。
【００２１】
＜３＞緑化基盤の設置
複数のレール材２を配列した後、隣り合うレール材２の段差部２２間に複数の緑化基盤３を設置する。緑化基盤３は多孔質セラミックスからなるため軽量であり、容易に設置することができる。
レール材２の間隔が緑化基盤３の幅と略同一の幅であるため、矩形の緑化基盤３の側面がレール材２の段差部２２に対応し、端部下面が鍔部２３に対応する。このため、緑化基盤３の重心が隣り合うレール材２間にあるため、地震や強風時にレール材２や固定金具１および折板屋根にかかる力を低減することができる。
そして、緑化基盤３の上面に植物４を植生する。
【００２２】
＜４＞押さえ金具による固定
押さえ金具５を固定金具１のボルト部１２に挿通し、ボルト部１２にナット１３を螺着して押さえ金具５を押し下げることにより、レール材２および緑化基盤３を固定する。
緑化基盤３の角が押さえ金具の下方に位置するように緑化基盤３の長さを決めることにより、一枚の押さえ金具５で最大４枚の緑化基盤３を固定することができる。
また、一枚の緑化基盤３の四隅ではなく対角のみを押さえる場合には、押さえ金具５の数を減らすことができる。
【００２３】
［その他実施例］
＜１＞保水シートの配置
レール材２の頂部２１の上面には保水シート７を敷設してもよい（図６）。このとき、緑化基盤３の高さは、レール材２の高さではなく、敷設した保水シート７上面の高さと略同一にする。これにより、緑化基盤３の上面と保水シート７の上面とが略同一平面となる。
そして、植物４を緑化基盤３および保水シート７の上面全面に植生する。
緑化基盤３の上面とレール材２の上部に位置する保水シート７の上面の全面に植物４を植生することができるため、屋根構造において緑化面積を大きく確保することができる。
【００２４】
＜２＞緑化トレイ
上記実施例においては緑化基盤３として多孔質セラミックスの板体を用いたが、上面を開口したトレイ３１と、トレイ３１内に配置する土壌などの基盤材３２と、により構成し、トレイ３１内の基盤材３２に植物４を植生してもよい（図７）。
【符号の説明】
【００２５】
１    固定金具
１１  取付部
１２  ボルト部
１３  ナット
２    レール材
２１  頂部
２２  段差部
２３  鍔部
２４  ボルト孔
３    緑化基盤
３１  トレイ
３２  基盤材
４    植物
５    押さえ金具
５１  ボルト孔
５２  凸片
６    折板屋根
６１  山部
６２  ハゼ部
【図１】
2015209679.tif 000003
【図２】
2015209679.tif 000004
【図３】
2015209679.tif 000005
【図４】
2015209679.tif 000006
【図５】
2015209679.tif 000007
【図６】
2015209679.tif 000008
【図７】
2015209679.tif 000009
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
折板屋根の山部に所定の間隔で取り付ける複数の固定金具と、
前記折板屋根の流れ方向に垂直な方向に並列して前記固定金具に取り付ける複数のレール材と、
前記レール材間に配置する矩形の板体状の緑化基盤と、により構成し、
前記固定金具は、前記折板屋根に取り付ける取付部と、前記取付部の上面に突設するボルト部と、からなり、
前記レール材は、頂部と、前記頂部の両端に垂直に設ける段差部と、前記段差部の下端に水平に設ける鍔部と、からなる断面略ハット状の部材であり、
前記レール材の頂部に設けたボルト挿通孔に前記固定金具の前記ボルト部を挿通して、前記段差部間に前記固定金具の前記取付部を内包し、
前記緑化基盤の両端を並列する前記レール材の前記鍔部に載置し、
前記レール材の頂部の上面に保水シートを敷設し、
前記緑化基盤の上面と前記保水シートの上面の高さが略同一である、
屋根緑化構造。
【手続補正２】
【補正対象書類名】明細書
【補正対象項目名】０００６
【補正方法】変更
【補正の内容】
【０００６】
上記のような課題を解決する本願の第１発明は、折板屋根の山部に所定の間隔で取り付ける複数の固定金具と、前記折板屋根の流れ方向に垂直な方向に並列して前記固定金具に取り付ける複数のレール材と、前記レール材間に配置する矩形の板体状の緑化基盤と、により構成し、前記固定金具は前記折板屋根に取り付ける取付部と、前記取付部の上面に突設するボルト部と、からなり、前記レール材は、頂部と、前記頂部の両端に垂直に設ける段差部と、前記段差部の下端に水平に設ける鍔部と、からなる断面略ハット状の部材であり、前記レール材の頂部に設けたボルト挿通孔に前記固定金具の前記ボルト部を挿通して、前記段差部間に前記固定金具の前記取付部を内包し、前記緑化基盤の両端を並列する前記レール材の前記鍔部に載置し、前記レール材の頂部の上面に保水シートを敷設し、前記緑化基盤の上面と前記保水シートの上面の高さが略同一である、屋根緑化構造を提供する。